(57)【要約】【課題】  リフィールの差し替えを可能にしながら記入のし易さを特徴とする手帳の提供をすることを課題とする。【解決手段】  １枚以上のシート物を綴り合わせて形成された冊子本体の背に軸受部材を設けてなる複数の冊子と、前記各軸受部材に取り付けて各冊子を綴じる結合用部材とから成り、前記軸受部材は、複数の冊子を重ね合わせたとき、相互に干渉し合わない位置に設けられ、前記結合用部材は軸受部材に取り付けたとき、同軸受部材とともにヒンジを形成する部材であることを特徴とする手帳。【選択図】  図１
2006264291.tif 000002
【特許請求の範囲】
【請求項１】
１枚以上のシート物を綴り合わせて形成された冊子本体の背に軸受部材を設けてなる複数の冊子と、前記各軸受部材に取り付けて各冊子を綴じる結合用部材とから成り、前記軸受部材は、複数の冊子を重ね合わせたとき、相互に干渉し合わない位置に設けられ、前記結合用部材は軸受部材に取り付けたとき、同軸受部材とともにヒンジを形成する部材であることを特徴とする手帳。
【請求項２】
前記軸受部材は筒状部材であり、前記結合用部材は前記軸受部材に挿通して取り付けられる棒状部材である請求項１記載の手帳。
【発明の詳細な説明】
【技術分野】
【０００１】    本発明は、複数の冊子を１冊にまとめて構成できる手帳に関する。
【背景技術】
【０００２】    従来から手帳としてリフィールの差し換えができるリング式バインダーのシステム手帳とリフィールの差し換えのできないノート式手帳が利用されている。このリング式バインダーのシステム手帳の例として特許文献１に開示されているものがある。またノート式手帳としては１年分のスケジュールで完結するようなビジネス手帳などが知られている。
【特許文献１】    特開２００１−３３４７７６号公報
【発明の開示】
【発明が解決しようとする課題】
【０００３】    リング式バインダーのシステム手帳においては、リフィールの差し換えが可能であるという利便性があるが、リフィールの綴じ込みのためのリング式バインダーがあるため、記入のしにくさという問題がある。一方、ノート式手帳では、記入のし易さは周知であるが、リフィールの差し換えができないという問題がある。【０００４】    そこで本発明は、リフィールの差し替えを可能にしながら記入のし易さを特徴とする手帳の提供をすることを課題とする。
【課題を解決するための手段】
【０００５】    上記課題を解決しようとするために、本発明が提供する手帳は、１枚以上のシート物を綴り合わせて形成された冊子本体の背に軸受部材を設けてなる複数の冊子と、前記各軸受部材に取り付けて各冊子を綴じる結合用部材とから成り、前記軸受部材は、複数の冊子を重ね合わせたとき、相互に干渉し合わない位置に設けられ、前記結合用部材は軸受部材に取り付けたとき、同軸受部材とともにヒンジを形成する部材であることを特徴とするものである。
【発明の効果】
【０００６】    本発明により、結合用部材で複数の冊子を綴じた１冊の手帳とするので、リング式バインダーを持たず書き込みがし易くなり、各冊子をリフィールと見立て結合用部材を外すことでリフィールの差し換えが可能となる。
【発明を実施するための最良の形態】
【０００７】    以下、本発明を無地の１０枚のシートで綴られた冊子本体を４冊用いた例として図１から図５を参照し、説明する。【０００８】    図１は手帳の分解図である。１は１０枚のシート１０を綴り合わせて形成した冊子本体である。シートの綴り合わせは、冊子本体１の背を糊で接着することによってなされている。【０００９】    ２は各冊子本体１の背に設けた筒状の軸受部材で、後述の結合用部材３を通すためのものである。軸受部材２は冊子本体１に設ける際に挿通孔を有し、柔軟なものであり、その挿通孔の径は後述の結合用部材３が通せるだけの十分な大きさである。【００１０】    両者２、３で本発明にいうヒンジ１１が形成される。軸受部材２は、図２のように各冊子本体１を重ね合わせたとき、お互いに重なり合わない位置に取り付けられており、取り付け方法は冊子本体１の背の長手方向に対して挿通孔が同方向となるようにし、冊子本体１の背に対して接着剤などで接着し固定するものである。冊子１２は冊子本体１に軸受部材２を前述の通りに設けてなるものである。【００１１】    ３は４冊の冊子１２の軸受部材２に通して手帳を形成するための結合用部材である。結合用部材３は金属の棒状部材であり、片端には軸受部材２の挿通孔を通らない大きさの取手４が設けられている。５は結合用部材３において取手４の反対側の部分に嵌合するための留め具である。【００１２】    図３は４つの冊子１２を結合用部材３にて１冊に綴られた手帳１３としたものである。４冊の冊子１２に設けられた軸受部材２の全てを挿通させ、留め具５を嵌合させて１冊の手帳１３を形成する。結合用部材３が４冊の冊子１２に設けられた軸受部材２の全てを挿通できるのは、軸受部材２の柔軟性と冊子１２自体の持つ変形性があるためである。【００１３】    図４は手帳と手帳カバーを示している。６は手帳カバーである。７は前記結合用部材３に設けられた取手４を挿入できる孔を有し、手帳カバー６に設けられる先端軸受部である。８は留め具５を上方から嵌合できる溝を有し、手帳カバー６に設けられる後端軸受部である。手帳１３を手帳カバー６へ取り付ける方法として、前記までの手帳１３の取手４を先端軸受部７に挿入した後、手帳１３に取り付けた留め具５の部分を後端軸受部８の溝に上方より嵌合させる。【００１４】    軸受部材の素材としては紙、合成樹脂、金属等でできた柔軟なものが良い。そして複数の冊子を１冊に綴じて手帳とした際の開閉の安定性を増すために冊子本体に２個以上を設けられていることが望ましい。【００１５】    図５の９の通り、軸受部材はシート状のままで冊子本体１の表表紙と裏表紙を挟み込む形状であっても良い。その際は結合用部材が挿入できるだけの十分な隙間を空けながら接着剤などで接着、あるいは糸などで縫合し固定したものである。【００１６】    軸受部材は冊子本体に対して恒久的に接合されることが望ましいが、利用者の利便性を上げるために任意の冊子本体をリフィールとして使用できるように冊子本体に対して軸受部材が取り付け及び取り外しを可能にしておくことでも良い。【００１７】    結合用部材は金属性の棒状で、断面は丸状が望ましいが、金属性ワイヤーや繊維の紐などでも構わず、また断面は角状であってもかま���ない。また１本でなく複数に分割されていても構わない。
【産業上の利用可能性】
【００１８】    本発明に係る冊子、手帳は、工業的に量産することが可能であるため、産業上の利用可能性を有する。
【図面の簡単な説明】
【００１９】
【図１】    本発明の実施の形態に係る手帳の分解斜視図である。
【図２】    図１の冊子を重ねた状態を示す斜視図である。
【図３】    図２の重ねた冊子を軸受部材に結合用部材を挿通して綴じて作った手帳の斜視図である。
【図４】    図３の手帳を手帳カバーへの取り付ける要領を示す斜視図である。
【図５】    図１における冊子の他の実施態様を示す斜視図である。
【符号の説明】
【００２０】    １  冊子本体
２  軸受部材
３  結合用部材
４  取手
５  留め具
６  手帳カバー
７  先端軸受部
８  後端軸受部
９  シート状の軸受部材
１０  シート
１１  ヒンジ
１２  冊子
１３  手帳
【図１】
2006264291.tif 000003
【図２】
2006264291.tif 000004
【図３】
2006264291.tif 000005
【図４】
2006264291.tif 000006
【図５】
2006264291.tif 000007